(57)【特許請求の範囲】
【請求項１】
室外空間から取り込んだ空気を室内空間へ供給する給気通路と、
当該給気通路へ室外空間から取り込んだ空気を通流させる給気手段と、
室内空間から取り出した空気を室外空間へ排気する排気通路と、
当該排気通路へ室内空間から取り出した空気を通流させる排気手段と、
前記給気通路に配置される第１給気領域と前記給気通路における前記第１給気領域よりも下流側に配置される第２給気領域との間で通気性吸湿体から成る第１デシカントロータを回転駆動して、前記第１給気領域を通過する空気の除湿と前記第２給気領域を通過する空気の冷却とを実行可能な第１ロータ部と、
前記給気通路における前記第１給気領域よりも下流側で前記第２給気領域よりも上流側に配置される第３給気領域と前記排気通路における第１排気領域との間で通気性吸湿体から成る第２デシカントロータを回転駆動して、前記第３給気領域を通過する空気の除湿と前記第１排気領域を通過する空気による前記第２デシカントロータの再生とを行う第２ロータ部と、
前記給気通路における前記第１給気領域と前記第３給気領域との間を通流する空気を、第１熱媒供給手段にて供給される第１熱媒との熱交換により冷却する第１熱交換部と、
前記給気通路における前記第３給気領域と前記第２給気領域との間を通流する空気と、前記排気通路における前記第１排気領域の上流側を通流する空気とを熱交換する第２熱交換部と、
前記排気通路における前記第２熱交換部と前記第１排気領域との間を通流する空気と、第２熱媒供給手段にて供給される熱を回収した第２熱媒とを熱交換する第３熱交換部と、
各機器の運転を制御する運転制御部とを備えた空調システムであって、
前記給気通路における前記第２熱交換部を通過した後の空気の一部を分流可能な分岐機構と、当該分岐機構にて分流された一部の空気を前記室内空間へ供給する分流空気通路とを備え、
前記運転制御部は、
前記給気手段にて前記室外空間から前記給気通路へ空気を取り込み、前記排気手段にて前記室内空間から前記排気通路へ空気を取り出し、前記第１熱媒供給手段にて前記第１熱媒を前記第１熱交換部へ供給し、前記第２熱媒供給手段にて前記第２熱媒を前記第３熱交換器へ供給し、前記第１ロータ部の前記第１デシカントロータを回転駆動し、前記第２ロータ部の前記第２デシカントロータを回転駆動している状態で、
前記分岐機構における分流流量を調整して前記室内空間の温度と湿度とを調整する温湿度調整運転を実行すると共に、
前記温湿度調整運転において、
前記分岐機構における分流状態として前記分流空気通路への分流流量を前記給気通路への分流流量よりも少なくする低温除湿運転と、
前記分岐機構における分流状態として前記分流空気通路への分流流量を前記給気通路への分流流量よりも多くする高温除湿運転とを切り換え制御する空調システム。
【請求項２】
室外空間から取り込んだ空気を室内空間へ供給する給気通路と、
当該給気通路へ室外空間から取り込んだ空気を通流させる給気手段と、
室内空間から取り出した空気を室外空間へ排気する排気通路と、
当該排気通路へ室内空間から取り出した空気を通流させる排気手段と、
前記給気通路に配置される第１給気領域と前記給気通路における前記第１給気領域よりも下流側に配置される第２給気領域との間で通気性吸湿体から成る第１デシカントロータを回転駆動して、前記第１給気領域を通過する空気の除湿と前記第２給気領域を通過する空気の冷却とを実行可能な第１ロータ部と、
前記給気通路における前記第１給気領域よりも下流側で前記第２給気領域よりも上流側に配置される第３給気領域と前記排気通路における第１排気領域との間で通気性吸湿体から成る第２デシカントロータを回転駆動して、前記第３給気領域を通過する空気の除湿と前記第１排気領域を通過する空気による前記第２デシカントロータの再生とを行う第２ロータ部と、
前記給気通路における前記第１給気領域と前記第３給気領域との間を通流する空気を、第１熱媒供給手段にて供給される第１熱媒との熱交換により冷却する第１熱交換部と、
前記給気通路における前記第３給気領域と前記第２給気領域との間を通流する空気と、前記排気通路における前記第１排気領域の上流側を通流する空気とを熱交換する第２熱交換部と、
前記排気通路における前記第２熱交換部と前記第１排気領域との間を通流する空気と、第２熱媒供給手段にて供給される熱を回収した第２熱媒とを熱交換する第３熱交換部と、
各機器の運転を制御する運転制御部とを備えた空調システムであって、
前記給気通路における前記第２熱交換部を通過した後の空気の一部を分流可能な分岐機構と、当該分岐機構にて分流された一部の空気を前記室内空間へ供給する分流空気通路とを備え、
前記給気通路から供給される空気と前記分流空気通路から供給される空気との混合気の温度を測定する温度測定手段を備え、
前記運転制御部は、
前記給気手段にて前記室外空間から前記給気通路へ空気を取り込み、前記排気手段にて前記室内空間から前記排気通路へ空気を取り出し、前記第１熱媒供給手段にて前記第１熱媒を前記第１熱交換部へ供給し、前記第２熱媒供給手段にて前記第２熱媒を前記第３熱交換器へ供給し、前記第１ロータ部の前記第１デシカントロータを回転駆動し、前記第２ロータ部の前記第２デシカントロータを回転駆動している状態で、
前記分岐機構における分流流量を調整して前記室内空間の温度と湿度とを調整する温湿度調整運転を実行すると共に、
前記温湿度調整運転において、前記温度測定手段にて測定される温度が昇温するに従って、前記分岐機構における分流状態として前記分流空気通路への分流流量を多い側へ制御する空調システム。
【請求項３】
前記給気通路から供給される空気と前記分流空気通路から供給される空気との混合気の温度を測定する温度測定手段を備え、
前記運転制御部は、前記温湿度調整運転において、前記温度測定手段にて測定される測定温度が高温除湿判定閾値未満である場合、前記高温除湿運転を実行し、前記温度測定手段にて測定される測定温度が前記高温除湿判定閾値に対して高温側の判定閾値である低温除湿判定閾値を超える場合、前記低温除湿運転を実行する形態で切り換え制御する温度維持運転を実行する請求項１に記載の空調システム。
【請求項４】
外部からの運転操作を受け付ける運転操作受付部を備え、
前記運転制御部は、前記運転操作受付部にて受け付けた運転操作に対応する運転制御指令に基づいて、前記低温除湿運転と前記高温除湿運転とを切り換え制御する請求項１又は３に記載の空調システム。
【請求項５】
前記第１熱媒供給手段にて前記第１熱交換部へ供給された後の空気を前記第１ロータ部の前記第２給気領域へ通流する補助再生通路を備え、
前記運転制御部は、前記高温除湿運転時に、前記第１熱媒供給手段にて前記第１熱交換部へ供給された後の空気を前記補助再生通路へ通流させる請求項１、３、４の何れか一項に記載の空調システム。 
【発明の詳細な説明】
【技術分野】
【０００１】
本発明は、室外空間から取り込んだ空気を室内空間へ供給する給気通路と、当該給気通路へ室外空間から取り込んだ空気を通流させる給気手段と、室内空間から取り出した空気を室外空間へ排気する排気通路と、当該排気通路へ室内空間から取り出した空気を通流させる排気手段と、前記給気通路に配置される第１給気領域と前記給気通路における前記第１給気領域よりも下流側に配置される第２給気領域との間で通気性吸湿体から成る第１デシカントロータを回転駆動して、前記第１給気領域を通過する空気の除湿と前記第２給気領域を通過する空気の冷却とを行う第１ロータ部と、前記給気通路における前記第１給気領域よりも下流側で前記第２給気領域よりも上流側に配置される第３給気領域と前記排気通路における第１排気領域との間で通気性吸湿体から成る第２デシカントロータを回転駆動して、前記第３給気領域を通過する空気の除湿と前記第１排気領域を通過する空気による前記第２デシカントロータの再生とを行う第２ロータ部と、前記給気通路における前記第１給気領域と前記第３給気領域との間を通流する空気を、第１熱媒供給手段にて供給される第１熱媒との熱交換により冷却する第１熱交換部と、前記給気通路における前記第３給気領域と前記第２給気領域との間を通流する空気と、前記排気通路における前記第１排気領域の上流側を通流する空気とを熱交換する第２熱交換部と、前記排気通路における前記第２熱交換部と前記第１排気領域との間を通流する空気と、第２熱媒供給手段にて供給される熱を回収した第２熱媒とを熱交換する第３熱交換部と、各機器の運転を制御する運転制御部とを備えた空調システムに関する。
【背景技術】
【０００２】
これまで、気密性の高い集合住宅等では、建築基準法により２４時間換気が義務付けられている観点から、室外空間から取り込んだ空気を室内空間へ供給する給気通路と、当該給気通路へ室外空間から取り込んだ空気を通流させる給気手段と、室内空間から取り出した空気を室外空間へ排気する排気通路と、当該排気通路へ室内空間から取り出した空気を通流させる排気手段と、給気通路を通流する空気と排気通路を通流する空気とを熱交換する熱交換器とを備えた２４時間換気設備が知られている。
このような２４時間換気設備においては、温度の調整が十分になされないと共に、湿度の調整が成されないため、例えば、夏場にあっては、比較的高温で且つ比較的湿度の高い空気を、室外空間から室内空間へ取り込むこととなり、使用者に不快感を与える虞があった。
そこで、特許文献１に示されるように、室外空間から取り込んだ空気を室内空間へ供給する給気通路と、当該給気通路へ室外空間から取り込んだ空気を通流させる給気手段と、室内空間から取り出した空気を室外空間へ排気する排気通路と、当該排気通路へ室内空間から取り出した空気を通流させる排気手段と、給気通路に配置される第１給気領域と給気通路における第１給気領域よりも下流側に配置される第２給気領域との間で通気性吸湿体から成る第１デシカントロータを回転駆動して、第１給気領域を通過する空気の除湿と第２給気領域を通過する空気の冷却とを行う第１ロータ部と、給気通路における第１給気領域よりも下流側で第２給気領域よりも上流側に配置される第３給気領域と排気通路における第１排気領域との間で通気性吸湿体から成る第２デシカントロータを回転駆動して、第３給気領域を通過する空気の除湿と第１排気領域を通過する空気による第２デシカントロータの再生とを行う第２ロータ部と、給気通路における第１給気領域と第３給気領域との間を通流する空気を、第１熱媒供給手段にて供給される第１熱媒との熱交換により冷却する第１熱交換部と、給気通路における第３給気領域と第２給気領域との間を通流する空気と排気通路における第１排気領域の上流側を通流する空気とを熱交換する第２熱交換部と、排気通路における第２熱交換部と第１排気領域との間を通流する空気と第２熱媒供給手段にて供給される熱を回収した第２熱媒とを熱交換する第３熱交換部と、各機器の運転を制御する運転制御部とを備えた空調システムが提案されている。
当該特許文献１に開示の技術にあっては、室外空間から給気通路へ取り込んだ空気は、第１ロータ部の第１給気領域において、湿分が通気性吸湿体に吸着されて除湿されると共に吸湿に伴って通気性吸湿体から放熱される熱を回収して昇温し、第１熱交換部にて第１熱媒との熱交換により冷却されて降温し、第２ロータ部の第３給気領域において、更に除湿されると共に昇温し、第２熱交換部において、排気通路を通流する空気との熱交換により冷却されて降温し、第１ロータ部の第２給気領域において、通気性吸湿体から湿分を回収して加湿されると共に放湿に伴って通気性吸湿体に吸熱されて降温した後、除湿冷却された空気として、室内空間へ供給される。
一方、特許文献２に示されるように、室外空間から取り込んだ空気を通流する通路と室内空間から取り出した空気を通流する通路とを通路切り換え可能な機構を備えたものも知られており、当該特許文献２に開示の技術にあっては、通路切り換え機構にて、通路を切り換えることにより、除湿冷房と加湿暖房とを切り換えて実行可能に構成されている。これにより、特許文献２に開示の技術では、除湿冷房運転においては、比較的低温且つ低湿の空気が室内空間へ供給されると共に、加湿暖房運転においては、比較的高温且つ高湿の空気が室内空間へ供給される。
【先行技術文献】
【特許文献】
【０００３】
【特許文献１】特開２０１３−２０４８２２号公報
【特許文献２】特開２０１２−１０２８８７号公報
【発明の概要】
【発明が解決しようとする課題】
【０００４】
これまで、デシカントを用いた空調システムとしては、特許文献１に記載されるように、冷房除湿を実行する技術や、特許文献２に記載されるように、冷房除湿と暖房加湿とを切り換え可能な技術が存在したが、使用者のニーズに合わせて、特に、冷房除湿における温湿度を細やかに調整可能な技術は存在しなかった。
更に言えば、これまでのデシカントを用いた空調システムでは、冷房除湿又は暖房加湿の何れかを実行可能な技術しか存在せず、例えば、ヒートポンプ式の空調装置の再熱除湿運転の如く、取り入れる空気の温度はある程度維持しながらも湿度を低下させる運転を実行する技術については、これまで知られておらず、改善の余地があった。
【０００５】
本発明は、上述の課題に鑑みてなされたものであり、その目的は、使用者の要求に合わせて、室内空間へ供給する空気の温湿度を細やかに調整し得るデシカント空調システムを提供する点にある。
【課題を解決するための手段】
【０００６】
上記目的を達成するための本発明の空調システムは、
室外空間から取り込んだ空気を室内空間へ供給する給気通路と、
当該給気通路へ室外空間から取り込んだ空気を通流させる給気手段と、
室内空間から取り出した空気を室外空間へ排気する排気通路と、
当該排気通路へ室内空間から取り出した空気を通流させる排気手段と、
前記給気通路に配置される第１給気領域と前記給気通路における前記第１給気領域よりも下流側に配置される第２給気領域との間で通気性吸湿体から成る第１デシカントロータを回転駆動して、前記第１給気領域を通過する空気の除湿と前記第２給気領域を通過する空気の冷却とを実行可能な第１ロータ部と、
前記給気通路における前記第１給気領域よりも下流側で前記第２給気領域よりも上流側に配置される第３給気領域と前記排気通路における第１排気領域との間で通気性吸湿体から成る第２デシカントロータを回転駆動して、前記第３給気領域を通過する空気の除湿と前記第１排気領域を通過する空気による前記第２デシカントロータの再生とを行う第２ロータ部と、
前記給気通路における前記第１給気領域と前記第３給気領域との間を通流する空気を、第１熱媒供給手段にて供給される第１熱媒との熱交換により冷却する第１熱交換部と、
前記給気通路における前記第３給気領域と前記第２給気領域との間を通流する空気と、前記排気通路における前記第１排気領域の上流側を通流する空気とを熱交換する第２熱交換部と、
前記排気通路における前記第２熱交換部と前記第１排気領域との間を通流する空気と、第２熱媒供給手段にて供給される熱を回収した第２熱媒とを熱交換する第３熱交換部と、
各機器の運転を制御する運転制御部とを備えた空調システムであって、
前記給気通路における前記第２熱交換部を通過した後の空気の一部を分流可能な分岐機構と、当該分岐機構にて分流された一部の空気を前記室内空間へ供給する分流空気通路とを備え、
前記運転制御部は、
前記給気手段にて前記室外空間から前記給気通路へ空気を取り込み、前記排気手段にて前記室内空間から前記排気通路へ空気を取り出し、前記第１熱媒供給手段にて前記第１熱媒を前記第１熱交換部へ供給し、前記第２熱媒供給手段にて前記第２熱媒を前記第３熱交換器へ供給し、前記第１ロータ部の前記第１デシカントロータを回転駆動し、前記第２ロータ部の前記第２デシカントロータを回転駆動している状態で、
前記分岐機構における分流流量を調整して前記室内空間の温度と湿度とを調整すると共に、
前記温湿度調整運転において、
前記分岐機構における分流状態として前記分流空気通路への分流流量を前記給気通路への分流流量よりも少なくする低温除湿運転と、
前記分岐機構における分流状態として前記分流空気通路への分流流量を前記給気通路への分流流量よりも多くする高温除湿運転とを切り換え制御する点にある。 
【０００７】
上記特徴構成にあっては、給気通路における第２熱交換部を通過した後の空気の一部を分流可能な分岐機構と、当該分岐機構にて分流された一部の空気を室内空間へ供給する分流空気通路とを備えているから、当該分岐機構により分岐されない空気は、第１ロータ部の第１デシカントロータの第２給気領域を通過する形態で冷却され降温すると共に加湿された状態で室内空間へ供給されると共に、分岐機構により分岐され分流空気通路を通流する空気は、第２給気領域を通過して冷却されることなく室内空間へ供給される。
本発明にあっては、当該分岐機構による分流流量を調整自在に構成してあるから、例えば、分流空気流路への分岐流量を減少させることにより、室内空間へ供給する空気の温度を低下させると共に湿度を増加させる側へ制御できる。一方、分流空気流路への分岐流量を増加させることにより、室内空間へ供給する空気の温度を上昇させると共に湿度を低下させる側へ制御できる。
以上より、使用者の要求に合わせて、室内空間へ供給する空気の温湿度を細やかに調整し得るデシカントを用いた空調システムを実現できる。
【０００８】
更に、上記特徴構成によれば、分岐機構による分流状態を制御するという比較的簡易な制御により、高温除湿運転と低温除湿運転とを良好に切り換えることができる。
【０００９】
上記目的を達成するための本発明の空調システムは、
室外空間から取り込んだ空気を室内空間へ供給する給気通路と、
当該給気通路へ室外空間から取り込んだ空気を通流させる給気手段と、
室内空間から取り出した空気を室外空間へ排気する排気通路と、
当該排気通路へ室内空間から取り出した空気を通流させる排気手段と、
前記給気通路に配置される第１給気領域と前記給気通路における前記第１給気領域よりも下流側に配置される第２給気領域との間で通気性吸湿体から成る第１デシカントロータを回転駆動して、前記第１給気領域を通過する空気の除湿と前記第２給気領域を通過する空気の冷却とを実行可能な第１ロータ部と、
前記給気通路における前記第１給気領域よりも下流側で前記第２給気領域よりも上流側に配置される第３給気領域と前記排気通路における第１排気領域との間で通気性吸湿体から成る第２デシカントロータを回転駆動して、前記第３給気領域を通過する空気の除湿と前記第１排気領域を通過する空気による前記第２デシカントロータの再生とを行う第２ロータ部と、
前記給気通路における前記第１給気領域と前記第３給気領域との間を通流する空気を、第１熱媒供給手段にて供給される第１熱媒との熱交換により冷却する第１熱交換部と、
前記給気通路における前記第３給気領域と前記第２給気領域との間を通流する空気と、前記排気通路における前記第１排気領域の上流側を通流する空気とを熱交換する第２熱交換部と、
前記排気通路における前記第２熱交換部と前記第１排気領域との間を通流する空気と、第２熱媒供給手段にて供給される熱を回収した第２熱媒とを熱交換する第３熱交換部と、
各機器の運転を制御する運転制御部とを備えた空調システムであって、
前記給気通路における前記第２熱交換部を通過した後の空気の一部を分流可能な分岐機構と、当該分岐機構にて分流された一部の空気を前記室内空間へ供給する分流空気通路とを備え、
前記給気通路から供給される空気と前記分流空気通路から供給される空気との混合気の温度を測定する温度測定手段を備え、
前記運転制御部は、
前記給気手段にて前記室外空間から前記給気通路へ空気を取り込み、前記排気手段にて前記室内空間から前記排気通路へ空気を取り出し、前記第１熱媒供給手段にて前記第１熱媒を前記第１熱交換部へ供給し、前記第２熱媒供給手段にて前記第２熱媒を前記第３熱交換器へ供給し、前記第１ロータ部の前記第１デシカントロータを回転駆動し、前記第２ロータ部の前記第２デシカントロータを回転駆動している状態で、
前記分岐機構における分流流量を調整して前記室内空間の温度と湿度とを調整すると共に、
前記温湿度調整運転において、前記温度測定手段にて測定される温度が昇温するに従って、前記分岐機構における分流状態として前記分流空気通路への分流流量を多い側へ制御する点にある。
上記特徴構成にあっては、給気通路における第２熱交換部を通過した後の空気の一部を分流可能な分岐機構と、当該分岐機構にて分流された一部の空気を室内空間へ供給する分流空気通路とを備えているから、当該分岐機構により分岐されない空気は、第１ロータ部の第１デシカントロータの第２給気領域を通過する形態で冷却され降温すると共に加湿された状態で室内空間へ供給されると共に、分岐機構により分岐され分流空気通路を通流する空気は、第２給気領域を通過して冷却されることなく室内空間へ供給される。
本発明にあっては、当該分岐機構による分流流量を調整自在に構成してあるから、例えば、分流空気流路への分岐流量を減少させることにより、室内空間へ供給する空気の温度を低下させると共に湿度を増加させる側へ制御できる。一方、分流空気流路への分岐流量を増加させることにより、室内空間へ供給する空気の温度を上昇させると共に湿度を低下させる側へ制御できる。
以上より、使用者の要求に合わせて、室内空間へ供給する空気の温湿度を細やかに調整し得るデシカントを用いた空調システムを実現できる。
更に、上記特徴構成によれば、温度測定手段にて測定される温度が昇温するに従って、分岐機構における分流状態として分流空気通路への分流流量を多い側へ制御するから、室内空間の温度が高いほど、室内空間へ供給される空気のうち、第１ロータ部の第２給気領域にて冷却され降温した空気の流量を増加させて、室内空間へ供給する空気の温度を低い側へ調整できる。結果、使用者の使用感を向上させ得る空調を実現できる。
【００１０】
本発明の空調システムの更なる特徴構成は、
前記給気通路から供給される空気と前記分流空気通路から供給される空気との混合気の温度を測定する温度測定手段を備え、
前記運転制御部は、前記温湿度調整運転において、前記温度測定手段にて測定される測定温度が高温除湿判定閾値未満である場合、前記高温除湿運転を実行し、前記温度測定手段にて測定される測定温度が前記高温除湿判定閾値に対して高温側の判定閾値である低温除湿判定閾値を超える場合、前記低温除湿運転を実行する形態で切り換え制御する温度維持運転を実行する点にある。
【００１１】
上記特徴構成によれば、温度測定手段にて測定される測定温度が比較的低温側の判定閾値である高温除湿判定閾値未満である場合、高温除湿運転を実行して比較的高温の空気を室内空間へ供給して、室内温度を高い側へ調整し、温度測定手段にて測定される測定温度が高温除湿判定閾値よりも高温側の判定閾値である低温除湿判定閾値を超える場合、低温除湿運転を実行して比較的低温の空気を室内空間へ供給して、室内温度を低い側へ調整するから、室内空間の温度を一定の温度幅に維持することができる。
尚、本発明にあっては、高温除湿判定閾値と低温除湿判定閾値とは、同一の温度であることも含む概念である。
【００１２】
本発明の空調システムの更なる特徴構成は、
外部からの運転操作を受け付ける運転操作受付部を備え、
前記運転制御部は、前記運転操作受付部にて受け付けた運転操作に対応する運転制御指令に基づいて、前記低温除湿運転と前記高温除湿運転とを切り換え制御する点にある。
【００１３】
上記特徴構成によれば、使用者が、運転操作受付部にて、低温除湿運転と高温除湿運転との何れかに対応する運転操作を実行することで、使用者の要求に応じる形態で、低温除湿運転と高温除湿運転とを実行することができる。これにより、例えば、夏場等に室内空間を比較的低温に維持したい場合には、低温除湿運転を実行することで、室内空間を低温側へ調整することができ、例えば、室内空間での衣類の乾燥を行いたい場合には、高温除湿運転を実行することで、比較的高温で乾燥した空気により、衣類の乾燥を良好に実行することができる。
【００１６】
本発明の空調システムの更なる特徴構成は、
前記第１熱媒供給手段にて前記第１熱交換部へ供給された後の空気を前記第１ロータ部の前記第２給気領域へ通流する補助再生通路を備え、
前記運転制御部は、前記高温除湿運転時に、前記第１熱媒供給手段にて前記第１熱交換部へ供給された後の空気を前記補助再生通路へ通流させる点にある。
【００１７】
これまで説明してきたように、分岐機構により分流空気通路への空気の分流流量を増加するほど、第１ロータ部の第２給気領域を通過する空気流量は減少することになる。当該第２給気領域は、それを通過する空気により、第１ロータ部の第１デシカントロータの再生を行う領域であるから、当該第２給気領域を通過する空気の流量が減少すると、第１デシカントロータの再生が十分に行われず、第１給気領域を通過する空気を適切に除湿できない虞がある。
上記特徴構成によれば、高温除湿運転の実行時で、分岐機構による分流空気通路への分流流量が増加し、第１ロータ部の第２給気領域を通過する空気流量が減少する場合であっても、第１熱交換部を通過した後の比較的高温の空気を、補助再生通路を介して、第２給気領域を通過させることにより、第２給気領域において第１デシカントロータを十分に再生することができる。結果、第１ロータ部の第１給気領域を通過する空気を適切に除湿することができる。
【図面の簡単な説明】
【００１８】
【図１】本発明の空調システムの概略構成図
【図２】低温除湿運転を実行する場合の空気線図の一例
【図３】高温除湿運転を実行する場合の空気線図の一例
【図４】温湿度調整運転の制御フロー図
【図５】温度維持運転処理（自動運転処理）の制御フロー図
【図６】高温除湿及び低温除湿を各別に実行する各別運転処理の制御フロー図
【発明を実施するための形態】
【００１９】
本発明の実施形態に係る空調システム１００は、デシカントを用いた空調装置において、単に冷却・除湿運転を実行するのみならず、使用者の要求に合わせて、室内空間へ供給される空調用空気ＳＡの温度及び湿度を細やかに制御し得るものに関する。
以下、図面に基づいて、当該実施形態に係る空調システム１００の説明を追加する。
【００２０】
当該実施形態に係る空調システム１００は、図１に示すように、室外空間ＯＳから取り込んだ空気を室内空間ＩＳへ供給する給気通路Ｒ１と、給気通路Ｒ１へ室外空間ＯＳから取り込んだ空気を通流させる第１ファンＦ１（給気手段の一例）と、室内空間ＩＳから取り出した空気を室外空間ＯＳへ排気する排気通路Ｒ２と、排気通路Ｒ２へ室内空間ＩＳから取り出した空気を通流させる第２ファンＦ２とを備えている。
通常、運転制御部Ｃ１が、当該第１ファンＦ１及び第２ファンＦ２を回転駆動して、給気通路Ｒ１及び排気通路Ｒ２に空気を通流させる形態で２４時間換気が実行されている。
【００２１】
更に、空気の除湿及び冷却を行うロータ部として、給気通路Ｒ１に配置される第１給気領域Ｄ１ａと給気通路Ｒ１における第１給気領域Ｄ１ａよりも下流側に配置される第２給気領域Ｄ１ｂとの間で通気性吸湿体から成る第１デシカントロータＤ１ｒを回転駆動して、第１給気領域Ｄ１ａを通過する空気の除湿と第２給気領域Ｄ１ｂを通過する空気の冷却とを行う第１ロータ部Ｄ１と、給気通路Ｒ１における第１給気領域Ｄ１ａよりも下流側で第２給気領域Ｄ１ｂよりも上流側に配置される第３給気領域Ｄ２ａと排気通路Ｒ２における第１排気領域Ｄ２ｂとの間で通気性吸湿体から成る第２デシカントロータＤ２ｒを回転駆動して、第３給気領域Ｄ２ａを通過する空気の除湿と第１排気領域Ｄ２ｂを通過する空気にて第２デシカントロータＤ２ｒの再生とを行う第２ロータ部Ｄ２とを備えている。
当該、第１ロータ部Ｄ１及び第２ロータ部Ｄ２の構成につき、説明を加える。
第１ロータ部Ｄ１に設けられる第１デシカントロータＤ１ｒは、モータ等の回転機構部Ｍ１により、回転される回転軸に中心部が固定されて比較的低速の所定の回転速度で回転駆動し、第１給気領域Ｄ１ａ及び第２給気領域Ｄ１ｂを横断する姿勢で配設された円盤状又は円柱状の部材として構成されている。当該第１デシカントロータＤ１ｒは、回転軸に沿う方向に貫通する多数の通路が形成されたハニカム状に形成されており、第１給気領域Ｄ１ａ及び第２給気領域Ｄ１ｂにおいて空気が第１デシカントロータＤ１ｒを貫通する状態で通過する。当該第１デシカントロータＤ１ｒは、ゼオライト、シリカゲル、活性炭等の公知の吸着剤を担持して、通気性吸着体とされている。
このような第１デシカントロータＤ１ｒを備えた第１ロータ部Ｄ１は、第１給気領域Ｄ１ａ及び第２給気領域Ｄ１ｂのうち、第１給気領域Ｄ１ａに比較的低温の空気が通過することにより、当該空気が第１デシカントロータＤ１ｒの吸湿時の放熱作用による温度上昇を伴って除湿され、それにより第１デシカントロータＤ１ｒは空気の水分を吸着した状態となる。その水分を吸着した第１デシカントロータＤ１ｒの部分が、上記回転駆動により第２給気領域Ｄ１ｂに移動することになる。
一方、第２給気領域Ｄ１ｂに比較的高温の空気が通過することで、その空気は第１デシカントロータＤ１ｒの放湿時の吸熱作用による温度低下を伴って加湿され、それにより第１デシカントロータＤ１ｒは、上記吸着した水分を脱着させて再生されることとなる。その再生された第１デシカントロータＤ１ｒの部分が、上記回転駆動により第１給気領域Ｄ１ａに移動することになる。
このようにして、第１ロータ部Ｄ１は、第１給気領域Ｄ１ａを通過する空気を除湿を行うことができると共に、第２給気領域Ｄ１ｂを通過する空気の冷却を行うことができるように構成されている。
【００２２】
第２ロータ部Ｄ２は、上記第１ロータ部Ｄ１の説明において、第１給気領域Ｄ１ａが第３給気領域Ｄ２ａに、第２給気領域Ｄ１ｂが第１排気領域Ｄ２ｂとなる点を除き、第１ロータ部Ｄ１と同一の構成を有しているため、ここでは、その詳細な説明を割愛する。
【００２３】
更に、本発明の空調システム１００にあっては、給気通路Ｒ１及び排気通路Ｒ２を通流する空気を加熱・冷却するべく、以下のように構成されている。
室外空間ＯＳから取り込んだ空気を室外空間ＯＳへ排気する熱媒通路Ｒ３と、当該熱媒通路Ｒ３へ室外空間ＯＳから取り込んだ空気を通流させる第３ファンＦ３とが設けられている。更に、給気通路Ｒ１における第１給気領域Ｄ１ａと第３給気領域Ｄ２ａとの間を通流する空気と熱媒通路Ｒ３を通流する空気とを熱交換する第１プレート型熱交換器ＥＸ１（第１熱交換部の一例）を備えている。当該構成により、第１給気領域Ｄ１ａの通過により第１デシカントロータＤ１ｒの吸湿作用による湿度低下に伴って昇温した空気は、第１プレート型熱交換器ＥＸ１にて比較的低温の室外空間ＯＳの空気と熱交換することにより冷却され、降温する。
【００２４】
給気通路Ｒ１における第３給気領域Ｄ２ａと第２給気領域Ｄ１ｂとの間を通流する空気と、排気通路Ｒ２における第１排気領域Ｄ２ｂの上流側を通流する空気とを熱交換する第２プレート型熱交換器ＥＸ２を備えている。当該構成により、第３給気領域Ｄ２ａの通過により第２デシカントロータＤ２ｒの吸湿作用による湿度低下に伴って昇温した空気は、第２プレート型熱交換器ＥＸ２（第２熱交換部の一例）にて比較的低温の室内空間ＩＳの空気との熱交換により冷却され、降温する。
【００２５】
更に、排気通路Ｒ２における第２プレート型熱交換器ＥＸ２と第１排気領域Ｄ２ｂとの間を通流する空気を、第２熱媒としての湯水との熱交換により加熱する湯水コイル加熱器ＥＸ３（第３熱交換部の一例）を備えている。
説明を追加すると、湯水を加熱する熱源機（図示せず）と、当該熱源機にて加熱される湯水を湯水コイル加熱器ＥＸ３と熱源機との間で循環する循環通路Ｒ４と、当該循環通路Ｒ４の湯水を圧送する圧送ポンプ（図示せず）と、湯水コイル加熱器ＥＸ３へ供給される湯水の温度を測定する湯水温度センサＳ２とを備えている。
【００２６】
ここで、給気通路Ｒ１につき説明を追加すると、給気通路Ｒ１には、給気通路Ｒ１における第２プレート型熱交換器ＥＸ２を通過した後の空気の一部を分流可能な流量調整弁Ｖ（分岐機構の一例）が設けられている。
更に、流量調整弁Ｖの下流側には、流量調整弁Ｖにて分流された空気の一部を、第１ロータ部Ｄ１の第２給気領域Ｄ１ｂを通過させることなく室内空間ＩＳへ供給する分流空気通路Ｒ１ｂと、分流されない空気の残部を、第１ロータ部Ｄ１の第２給気領域Ｄ１ｂを通過させた後室内空間ＩＳへ供給する下流側給気通路Ｒ１ａとが設けられている。
【００２７】
以上の構成により、室外空間ＯＳから給気通路Ｒ１へ取り込まれた室外空気ＯＡは、第１ロータ部Ｄ１の第１給気領域Ｄ１ａ、第１プレート型熱交換器ＥＸ１、第２ロータ部Ｄ２の第３給気領域Ｄ２ａ、第２プレート型熱交換器ＥＸ２を通過した後、流量調整弁Ｖにて分流されない空気の残部は、第１ロータ部Ｄ１の第２給気領域Ｄ１ｂを通過して、冷却され降温すると共に湿度が増加した状態で、室内空間ＩＳへ第１空調用空気ＳＡ１として供給される。
一方、流量調整弁Ｖにて分流された空気の一部は、第１ロータ部Ｄ１の第２給気領域Ｄ１ｂを通過することなく、第２プレート型熱交換器ＥＸ２を通過した後の温度と湿度が維持された状態で、室内空間ＩＳへ第２空調用空気ＳＡ２として供給される。
即ち、当該実施形態にあっては、流量調整弁Ｖによる分流状態が調整されることにより、第１空調用空気ＳＡ１と第２空調用空気ＳＡ２との流量比が調整される形態で、空調用空気ＳＡの温度及び湿度が制御される。尚、図示は省略するが、第１空調用空気ＳＡ１と第２空調用空気ＳＡ２とは、混合されて室内空間ＩＳへ供給される。
室内空間ＩＳから排気通路Ｒ２へ取り込まれた室内空気ＲＡは、第２プレート型熱交換器ＥＸ２、湯水コイル加熱器ＥＸ３、及び第２ロータ部Ｄ２の第１排気領域Ｄ２ｂを通過した後、室外空間ＯＳへ排気ＥＡとして排出される。
室外空間ＯＳから熱媒通路Ｒ３へ取り込まれた室外空気ＯＡは、第１プレート型熱交換器ＥＸ１を通過した後、室外空間ＯＳへ排気ＥＡとして排出される。
尚、排気ＥＡに関しても混合された後、室外空間ＯＳへ排出される。
【００２８】
運転制御部Ｃ１は、ＬＳＩから成る演算装置及び記憶装置等のハードウェアと当該ハードウェアと協働するソフトウェアとから構成されており、空調システム１００による空調運転の開始指令を運転操作受付部Ｃ２から受信すると、熱源機へ湯水の加熱を開始する信号を送信し、圧送ポンプを作動させ、湯水温度センサＳ２にて測定される湯水温度が空調開始下限湯水温度以上となった後に、第１ファンＦ１、第２ファンＦ２、第３ファンＦ３の駆動制御、及び第１ロータ部Ｄ１、第２ロータ部Ｄ２の回転駆動制御、及び流量調整弁Ｖによる流量制御を実行可能に構成されている。
【００２９】
使用者の運転操作を受け付ける運転操作受付部Ｃ２には、自動で室内空間ＩＳの温度を所定の温度域に保ちながら除湿を行う温度維持運転処理の実行・停止を切り換える自動温調除湿運転スイッチＳｗ１と、当該自動温調除湿運転スイッチＳｗ１がＯＮ操作されている場合に点灯する第１点灯ランプＬ１と、室内空間ＩＳの温度を比較的高い温度（例えば、３０℃より高い温度）に保ちながら除湿を行う高温除湿運転の実行・停止を切り換える高温除湿運転スイッチＳｗ２と、当該高温除湿運転スイッチＳｗ２がＯＮ操作さている場合に点灯する第２点灯ランプＬ２と、室内空間ＩＳの温度を比較的低い温度（例えば、２４℃より低い温度）に保ちながら除湿を行う低温除湿運転の実行・停止を切り換える低温除湿運転スイッチＳｗ３と、当該低温除湿運転スイッチＳｗ３がＯＮ操作されている場合に点灯する第３点灯ランプＬ３とが備えられている。
【００３０】
運転制御部Ｃ１は、運転操作受付部Ｃ２にて高温除湿運転スイッチＳｗ２がＯＮ操作された場合は、温湿度調整運転として以下の高温除湿運転を実行し、低温除湿運転スイッチＳｗ３がＯＮ操作された場合は、温湿度調整運転として以下の低温除湿運転を実行するように構成されている。
尚、運転制御部Ｃ１は、自動温調除湿運転スイッチＳｗ１がＯＮ操作された場合、温湿度調整運転として以下の高温除湿運転と低温除湿運転とを室内空間ＩＳへ供給される空調用空気ＳＡの温度に基づいて切り換え制御して、室内空間ＩＳの温度を一定温度範囲内の温度に維持する温度維持運転を実行する。
【００３１】
＜低温除湿運転＞
低温除湿運転では、運転制御部Ｃ１が、第１ファンＦ１を作動させ室外空間ＯＳから給気通路Ｒ１へ空気を取り込み、第２ファンＦ２を作動させ室内空間ＩＳから排気通路Ｒ２へ空気を取り出し、第３ファンＦ３を作動させ室外空間ＯＳから熱媒通路Ｒ３へ空気を取り込んで第１プレート型熱交換器ＥＸ１へ供給し、熱源機（図示せず）にて加熱された湯水を圧送ポンプ（図示せず）にて湯水コイル加熱器ＥＸ３へ導き、第１ロータ部Ｄ１の第１デシカントロータＤ１ｒ及び第２ロータ部Ｄ２の第２デシカントロータＤ２ｒを回転駆動し、流量調整弁Ｖにて第１空調用空気ＳＡ１と第２空調用空気ＳＡ２との流量比を、第１空調用空気ＳＡ１の流量が第２空調用空気ＳＡ２の流量よりも多くなるように（本実施形態にあっては、ＳＡ１：ＳＡ２＝８０％：２０％）制御する。
これにより、給気通路Ｒ１及び下流側給気通路Ｒ１ａを通流する室外空気ＯＡは、図２の空気線図に示すように、第１給気領域Ｄ１ａにて第１デシカントロータＤ１ｒの吸湿作用により除湿されると共に吸湿作用に伴う放熱により昇温し（図３で、ＯＡ→Ｐ１）、第１プレート型熱交換器ＥＸ１での室外空気ＯＡとの熱交換により降温し（図３で、Ｐ１→Ｐ２）、第３給気領域Ｄ２ａにて第２デシカントロータＤ２ｒの吸湿作用により除湿されると共に吸湿作用に伴う放熱により昇温し（図３で、Ｐ２→Ｐ３）、第２プレート型熱交換器ＥＸ２での室内空気ＲＡとの熱交換により降温し（図３で、Ｐ３→Ｐ４）、第２給気領域Ｄ１ｂにて第１デシカントロータＤ１ｒの放湿作用に伴う吸熱により降温した後（図２で、Ｐ４→ＳＡ１）、第１空調用空気ＳＡ１として室内空間ＩＳへ供給される。
一方、給気通路Ｒ１及び分流空気通路Ｒ１ｂを通流する室外空気ＯＡは、図２の空気線図に示すように、第１給気領域Ｄ１ａにて第１デシカントロータＤ１ｒの吸湿作用により除湿されると共に吸湿作用に伴う放熱により昇温し（図２で、ＯＡ→Ｐ１）、第１プレート型熱交換器ＥＸ１での室外空気ＯＡとの熱交換により降温し（図２で、Ｐ１→Ｐ２）、第３給気領域Ｄ２ａにて第２デシカントロータＤ２ｒの吸湿作用により除湿されると共に吸湿作用に伴う放熱により昇温し（図２で、Ｐ２→Ｐ３）、第２プレート型熱交換器ＥＸ２での室内空気ＲＡとの熱交換により降温した後（図２で、Ｐ３→ＳＡ２（Ｐ４））、第２空調用空気ＳＡ２として室内空間ＩＳへ供給される。
尚、第１空調用空気ＳＡ１の温度及び湿度を示す図２の空気線図におけるＯＡ、Ｐ１、Ｐ２、Ｐ３、Ｐ４、ＳＡ１の各ポイント、及び第２空調用空気ＳＡ２としての図３の空気線図におけるＯＡ、Ｐ１、Ｐ２、Ｐ３、ＳＡ２（Ｐ４）の各ポイントは、図１の概略構成図の給気通路Ｒ１におけるＯＡ、Ｐ１、Ｐ２、Ｐ３、Ｐ４、ＳＡ１、及びＳＡ２の各ポイントに対応しており、図２の空気の温度及び相対湿度の具体的数値は以下の表１に示し、図３の空気の温度及び相対湿度の具体的数値は以下の表２に示している。
当該低温除湿運転により、比較的低温に降温され除湿された空調用空気ＳＡ（第１空調用空気ＳＡ１及び第２空調用空気ＳＡ２の混合気）が、室内空間ＩＳへ供給される。
尚、当該低温除湿運転は、比較的低温で且つ除湿された空気を空調用空気ＳＡとして供給する場合に用いる運転であり、例えば、夏場のベース冷房として用いられる。
【００３２】
【表１】
0006376900.tif 000002
【００３３】
【表２】
0006376900.tif 000003
【００３４】
＜高温除湿運転＞
高温除湿運転では、運転制御部Ｃ１が、第１ファンＦ１を作動させ室外空間ＯＳから給気通路Ｒ１へ空気を取り込み、第２ファンＦ２を作動させ室内空間ＩＳから排気通路Ｒ２へ空気を取り出し、第３ファンＦ３を作動させ室外空間ＯＳから熱媒通路Ｒ３へ空気を取り込んで第１プレート型熱交換器ＥＸ１へ供給し、熱源機（図示せず）にて加熱された湯水を圧送ポンプ（図示せず）にて湯水コイル加熱器ＥＸ３へ導き、第１ロータ部Ｄ１の第１デシカントロータＤ１ｒ及び第２ロータ部Ｄ２の第２デシカントロータＤ２ｒを回転駆動し、流量調整弁Ｖにて第１空調用空気ＳＡ１と第２空調用空気ＳＡ２との流量比を、第１空調用空気ＳＡ１の流量が第２空調用空気ＳＡ２の流量よりも少なくなるように（本実施形態にあっては、ＳＡ１：ＳＡ２＝２０％：８０％）制御する。
当該高温除湿運転において、第１空調用空気ＳＡ１及び第２空調用空気ＳＡ２の流れ、及び温度・湿度については、低温除湿運転で示したものと同一である。
尚、当該高温除湿運転は、比較的高温で且つ除湿された空気を空調用空気ＳＡとして供給する場合に用いる運転であり、例えば、衣類の室内乾燥用の運転として用いられる。
【００３５】
当該実施形態に係る空調システム１００にあっては、上述した高温除湿運転、低温除湿運転に加え、これらの運転を室内空間ＩＳに供給される空気の温度に基づいて切り換え制御する温度維持運転を実行するように構成されている。
以下、温湿度調整運転として、これら高温除湿運転、低温除湿運転、及び温度維持運転を実行する制御を、図４、５、６の制御フローに基づいて、説明を追加する。
【００３６】
図４に示すように、運転制御部Ｃ１は、運転操作受付部Ｃ２において、自動温調除湿運転スイッチＳｗ１、高温除湿運転スイッチＳｗ２、及び低温除湿運転スイッチＳｗ３の何れかがＯＮ操作された場合（♯１０１）、室内空間ＩＳへ供給される空調用空気ＳＡの温度を測定する空気温度センサＳ１、湯水温度センサＳ２からの出力が正常に得られているか確認する（♯１０２）。
一方、運転制御部Ｃ１は、Ｓｗ１〜Ｓｗ３の何れのスイッチもＯＮ操作されていない場合、２４時間換気を維持すべく、給気通路Ｒ１へ室外空間ＯＳの室外空気ＯＡを取り込むように第１ファンＦ１の駆動を維持し、排気通路Ｒ２へ室内空間ＩＳの室内空気ＲＡを取り込むように第２ファンＦ２の駆動を維持する。
次に、運転制御部Ｃ１は、湯水コイル加熱器ＥＸ３へ供給される湯水温度が下限湯水温度（例えば、５０℃以上の温度）以上となるように、熱源機（図示せず）にて湯水を加熱させると共に、圧送ポンプ（図示せず）を働かせる（♯１０３、♯１０４）。
その後、運転制御部Ｃ１は、高温除湿運転スイッチＳｗ２、及び低温除湿運転スイッチＳｗ３の何れかがＯＮ操作されている場合（♯１０６）、各別運転処理（図６に示す制御フローの処理）を実行し（♯１０８）、高温除湿運転スイッチＳｗ２、及び低温除湿運転スイッチＳｗ３の何れもＯＮ操作されていない場合（即ち、自動温調除湿運転スイッチＳｗ１がＯＮ操作されている場合）、温度維持運転処理（図５に示す制御フローの処理）を実行する（♯１０７）。
運転制御部Ｃ１は、温度維持運転処理及び各別運転処理の双方が完了すると、温湿度調整運転を終了し、２４時間換気の実行を維持する。
【００３７】
＜温度維持運転処理＞
当該温度維持運転処理にあっては、給気通路Ｒ１を通流した後で室内空間ＩＳへ供給される空調用空気ＳＡの温度を測定する空気温度センサＳ１の温度に基づいて、高温除湿運転と、低温除湿運転とを切り換え制御することにより、室内空間ＩＳの内部を、一定の温度範囲に自動調整する処理である。
図５に示すように、運転制御部Ｃ１は、空気温度センサＳ１の出力Ｔｒが高温除湿判定閾値（例えば、２４℃）未満の場合（♯２０１）、室内空間ＩＳの温度を昇温させるべく、高温除湿運転を実行し（♯２０２）、空気温度センサＳ１の出力Ｔｒが低温除湿判定閾値（例えば、３０℃）を超える場合（♯２０１）、室内空間ＩＳの温度を降温させるべく、低温除湿運転を実行する（♯２０３）。
運転制御部Ｃ１は、当該♯２０１〜♯２０３の制御を、自動温調除湿運転スイッチＳｗ１がＯＦＦ操作されるまで、繰り返し実行する（♯２０１〜♯２０４）。
尚、当該実施形態にあっては、空気温度センサＳ１の出力Ｔｒが高温除湿判定閾値以上で低温除湿判定閾値以下である場合、第１ファンＦ１、第２ファンＦ２、第３ファンＦ３を停止すると共に、第１ロータ部Ｄ１の第１デシカントロータＤ１ｒ及び第２ロータ部Ｄ２の第２デシカントロータＤ２ｒの回転を停止し、熱源機から温水コイル加熱器ＥＸ３への湯水の供給を停止する。
【００３８】
運転制御部Ｃ１は、自動温調除湿運転スイッチＳｗ１がＯＦＦ操作された場合（♯２０４）で、且つ、高温除湿運転スイッチＳｗ２、及び低温除湿運転スイッチＳｗ３のすべてがＯＮ操作されていない場合（♯２０５）、当該温度維持運転処理を終了する。
一方、運転制御部Ｃ１は、自動温調除湿運転スイッチＳｗ１がＯＦＦ操作された場合（♯２０４）で、且つ、高温除湿運転スイッチＳｗ２、及び低温除湿運転スイッチＳｗ３の何れかがＯＮ操作された場合（♯２０５）、各別運転処理（図６に示す制御フローの処理）へ移行する（♯２０６）。
尚、当該実施形態にあっては、自動温調除湿運転スイッチＳｗ１のＯＦＦ操作は、自動温調除湿運転スイッチＳｗ１がＯＦＦ操作される場合に加え、高温除湿運転スイッチＳｗ２、及び低温除湿運転スイッチＳｗ３の何れかがＯＮ操作された場合にも、自動的に実行されるものとする。
【００３９】
＜各別運転処理＞
当該各別運転処理にあっては、使用者の運転操作受付部Ｃ２への運転操作に従って、高温除湿運転、及び低温除湿運転の夫々を各別に実行する処理である。
図６に示すように、運転制御部Ｃ１は、高温除湿運転スイッチＳｗ２がＯＮ操作されている場合（♯３０１）、高温除湿運転を実行し（♯３０２）、低温除湿運転スイッチＳｗ３がＯＮ操作されている場合（♯３０１）、低温除湿運転を実行する（♯３０３）。
運転制御部Ｃ１は、当該♯３０１〜３０３の制御を、高温除湿運転スイッチＳｗ２、及び低温除湿運転スイッチＳｗ３の双方がＯＦＦになるまで、繰り返し実行する（♯３０１〜♯３０４）。
【００４０】
運転制御部Ｃ１は、高温除湿運転スイッチＳｗ２、及び低温除湿運転スイッチＳｗ３のすべてがＯＦＦになった場合（♯３０４）で、且つ自動温調除湿運転スイッチＳｗ１がＯＮ操作されていない場合（♯３０５）、各別運転処理を終了する。
一方、運転制御部Ｃ１は、高温除湿運転スイッチＳｗ２、及び低温除湿運転スイッチＳｗ３の双方がＯＦＦになった場合（♯３０４）で、且つ自動温調除湿運転スイッチＳｗ１がＯＮ操作された場合（♯３０５）、温度維持運転処理（図５に示す制御フローの処理）へ移行する（♯３０６）。
尚、当該実施形態にあっては、高温除湿運転スイッチＳｗ２、及び低温除湿運転スイッチＳｗ３の何れかのＯＦＦ操作は、高温除湿運転スイッチＳｗ２、及び低温除湿運転スイッチＳｗ３の何れかがＯＦＦ操作されることに加え、自動温調除湿運転スイッチＳｗ１がＯＮ操作された場合にも、自動的に実行されるものとする。
【００４１】
〔別実施形態〕
（１）図示は省略するが、熱媒通路Ｒ３は、第１プレート型熱交換器ＥＸ１を通過した後に、当該熱媒通路Ｒ３を通流する空気の一部を分流する分岐機構（図示せず）を備えると共に、当該分岐機構にて分流された空気を第１ロータ部Ｄ１の第２給気領域Ｄ１ｂに通過させる補助再生通路（図示せず）を備える構成を採用すると共に、運転制御部Ｃ１は、上記高温除湿運転を実行している場合に、補助再生通路に空気を通過するように分岐機構による分流状態を制御しても構わない。
これにより、高温除湿運転を実行しているときで、第１ロータ部Ｄ１の第２給気領域Ｄ１ｂを通過する空気流量が第１給気領域Ｄ１ａを通過する空気流量よりも少なくなる場合、第２給気領域Ｄ１ｂを通過する空気の流量を、補助再生通路を通過する空気により補うことができ、第１ロータ部の第１給気領域Ｄ１ａと第２給気領域Ｄ１ｂとを通過する空気の流量のバランスを保つことができ、第１デシカントロータの除湿量と再生量とのバランスを維持することができる。
【００４２】
（２）上記実施形態では、運転制御部Ｃ１は、第１空調用空気ＳＡ１の流量を第２空調用空気ＳＡ２の流量よりも多い流量に制御する低温除湿運転と、第１空調用空気ＳＡ１の流量を第２空調用空気ＳＡ２の流量よりも少ない流量に制御する高温除湿運転とを切り換え制御する例を示した。
しかしながら、本発明にあっては、運転制御部Ｃ１が、第１空調用空気ＳＡ１と第２空調用空気ＳＡ２とを混合した空調用空気ＳＡの温度を測定する空気温度センサＳ１の測定結果に基づいて、第１空調用空気ＳＡ１と第２空調用空気ＳＡ２との流量比を制御するように構成しても構わない。
説明を追加すると、運転制御部Ｃ１は、空気温度センサＳ１にて測定される第１空調用空気ＳＡ１と第２空調用空気ＳＡ２とを混合した空調用空気ＳＡの温度が昇温するに従って、第１空調用空気ＳＡ１の流量を第２空調用空気ＳＡ２の流量に対して増加する側に調整する制御をしても構わない。
これにより、室内空間ＩＳに供給される空調用空気ＳＡの温度を、所謂、フィードバック制御する形態で、調整することができる。
【００４３】
（３）上記実施形態では、第１熱交換部及び第２熱交換部として、プレート型熱交換器を備える例を示した。しかしながら、当該第１熱交換部及び第２熱交換部は、例えば、二重管式熱交換器や、顕熱ロータを回転駆動するロータ型の熱交換器を採用しても構わない。
【００４４】
（４）上記実施形態では、運転操作受付部Ｃ２を備える例を示したが、当該運転操作受付部Ｃ２を備えない構成を採用することができる。
説明を追加すると、当該運転操作受付部Ｃ２を備えない場合、空調システム１００は、上述した温度維持運転処理を常に実行することとなる。これにより、室内空間ＩＳの温度は、予め設定される高温除湿判定閾値と低温除湿判定閾値との間の温度に近づくように、制御される。
【００４５】
（５）上記実施形態では、高温除湿判定閾値と低温除湿判定閾値とが異なる値に設定されている例を示したが、高温除湿判定閾値と低温除湿判定閾値とは同一の値であっても構わない。
【００４６】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４７】
本発明の空調システムは、使用者の要求に合わせて、室内空間へ供給する空気の温湿度を細やかに調整し得るデシカント空調システムとして、有効に利用可能である。
【符号の説明】
【００４８】
１００    ：空調システム
Ｃ１      ：運転制御部
Ｃ２      ：運転操作受付部
Ｄ１      ：第１ロータ部
Ｄ１ａ    ：第１給気領域
Ｄ１ｂ    ：第２給気領域
Ｄ１ｒ    ：第１デシカントロータ
Ｄ２      ：第２ロータ部
Ｄ２ａ    ：第３給気領域
Ｄ２ｂ    ：第１排気領域
Ｄ２ｒ    ：第２デシカントロータ
ＥＡ      ：排気
ＥＸ１    ：第１プレート型熱交換器
ＥＸ２    ：第２プレート型熱交換器
ＥＸ３    ：湯水コイル加熱器
Ｆ１      ：第１ファン
Ｆ２      ：第２ファン
ＩＳ      ：室内空間
ＯＡ      ：室外空気
ＯＳ      ：室外空間
Ｒ１      ：給気通路
Ｒ１ａ    ：下流側給気通路
Ｒ１ｂ    ：分流空気通路
Ｒ２      ：排気通路
ＲＡ      ：室内空気
Ｓ１      ：空気温度センサ
ＳＡ      ：空調用空気
Ｖ        ：流量調整弁
【図１】
0006376900.tif 000004
【図２】
0006376900.tif 000005
【図３】
0006376900.tif 000006
【図４】
0006376900.tif 000007
【図５】
0006376900.tif 000008
【図６】
0006376900.tif 000009